(57)【要約】【課題】かつらにおいて、生え際部を自然に見せる。【解決手段】人毛又は人工毛からなる毛髪をかつらベースに植毛してなるかつらにおいて、かつらベースの前頭部２における毛髪の生え際部２ａを不規則な凹凸状（２ｂ，２ｃ，２ｄ）に形成した構成とする。好ましくは、不規則な凹凸状の生え際部２ａは、生え際方向に沿って凸部２ｂ，２ｃと凹部２ｄとが連続的に形成されてなる構成とする。【選択図】図３
2007182643.tif 000002
【特許請求の範囲】
【請求項１】
人毛又は人工毛からなる毛髪をかつらベースに植毛してなるかつらにおいて、
前記かつらベースの前頭部における前記毛髪の生え際部を不規則な凹凸状に形成したことを特徴とするかつら。
【請求項２】
前記不規則な凹凸状の生え際部は、生え際方向に沿って凸部と凹部とが連続的に形成されてなることを特徴とする請求項１記載のかつら。
【請求項３】
前記不規則な凹凸状の生え際部は、生え際方向に長い幅を有する凸部と短い幅を有する凸部とが凹部を挟んで交互に形成されてなることを特徴とする請求項１又は請求項２記載のかつら。
【請求項４】
前記不規則な凹凸状の生え際部は、凸部に沿う領域の植毛密度が凹部に沿う領域の植毛密度よりも低いことを特徴とする請求項１から請求項３のいずれか１項記載のかつら。
【請求項５】
前記かつらベースの前頭部がポリウレタンからなることを特徴とする請求項１から請求項４のいずれか１項記載のかつら。
【請求項６】
前記かつらベースの前頭部がネット状であることを特徴とする請求項１から請求項４のいずれか１項記載のかつら。
【発明の詳細な説明】
【技術分野】
【０００１】
本発明は、前頭部における生え際部を自然に見せるかつらに関するものである。
【背景技術】
【０００２】
かつらは、一般的に薄毛に悩む人が着用するものであり、実際の頭部であるかのように見せるものでなければならない。そのため、例えば、特許文献１（実開昭６２−１１４０１８号公報）では、以下のようなかつらが提案されている。
上記特許文献１のかつらは、前頭部にギザギザの凹凸部を有するネットを設け、この凹凸部を含めて植毛する構成としてある。
【特許文献１】実開昭６２−１１４０１８号公報
【発明の開示】
【発明が解決しようとする課題】
【０００３】
ところで、上記特許文献１のかつらは、前頭部に凹凸部を設けており、この凹凸部の凹凸は交互に規則的に並んでいる。しかしながら、一般的な人の頭髪の生え際は、規則的に凹凸状になっているのではなく、不規則な凹凸状になっている。そのため、上記特許文献１のかつらは、生え際部を自然に見せることができなかった。
【０００４】
本発明の課題は、上記従来の実情に鑑み、生え際部を自然に見せるかつらを提供することである。
【課題を解決するための手段】
【０００５】
上記課題を解決するために、本発明のかつらは、人毛又は人工毛からなる毛髪をかつらベースに植毛してなるかつらにおいて、上記かつらベースの前頭部における上記毛髪の生え際部を不規則な凹凸状に形成した構成とする。
【０００６】
好ましくは、上記不規則な凹凸状の生え際部は、生え際方向に沿って凸部と凹部とが連続的に形成されてなる構成とする。
好ましくは、上記不規則な凹凸状の生え際部は、生え際方向に長い幅を有する凸部と短い幅を有する凸部とが凹部を挟んで交互に形成されてなる構成とする。
【０００７】
好ましくは、上記不規則な凹凸状の生え際部は、凸部に沿う領域の植毛密度が凹部に沿う領域の植毛密度よりも低い構成とする。
好ましくは、上記かつらベースの前頭部が、ポリウレタンからなる構成又はネット状である構成とする。
【発明の効果】
【０００８】
本発明のかつらによれば、かつらベースの前頭部における毛髪の生え際部を不規則な凹凸状に形成したことにより、人の頭髪の生え際の不規則な凹凸状を再現することができ、生え際部を自然に見せることができる。
【発明を実施するための最良の形態】
【０００９】
以下、本発明の実施形態に係るかつらについて図面を参照しながら説明する。
図１は、本発明の第１実施形態に係るかつらを示す平面図である。
同図において、かつら１は、該かつら１の前方部分を構成する前頭部２、ネット部３、周縁部４等から構成されている。前頭部２は、例えばポリウレタンからなる。この前頭部２は、かつら１のうち最も見えやすい部分の一つであるため、肌色或いは透明であることが望ましい。なお、図２以降の説明で後述するが、前頭部２における毛髪の生え際のライン（生え際部２ａとして太線で示す。）は、頭皮に沿った方向に不規則な凹凸状に形成されている。
【００１０】
そして、ネット部３の周縁には、周縁部４が形成されている。この周縁部４は、ネット部３の外観を高める目的や、ネット部３を補強する等の目的で、他の部材（例えばポリウレタン）が固着されて又はネット部３を折り返して形成されている。
【００１１】
なお、同図においては、便宜上、前頭部２及びネット部３に、人毛又は人工毛からなる毛髪を植毛していない状態を示している。そのため、同図におけるかつら１は、かつらベースとなっている。
また、本発明の特徴は、生え際部２ａの不規則な凹凸状にあるため、かつら１の構成は上述した構成に限定されない。
【００１２】
図２は、上記かつらの前頭部を示す平面図である。
同図において、前頭部２は、不規則な凹凸状に植毛された毛髪（同図に示す黒い点で模式的に示している。）の生え際部２ａに合わせて不規則な凹凸状に切り取られている。なお、本発明に係る不規則な凹凸状とは、規則的でない凹凸状をいい、ここにおける規則的な凹凸状とは、凹凸のそれぞれが略一定幅（略一定長さ）で形成されているものをいう。
【００１３】
毛髪の生え際部２ａは、凸部２ｂ，２ｃ及び凹部２ｄからなる。これら凸部２ｂ，２ｃと凹部２ｄとは、生え際方向Ａに沿って連続的に形成されている。
また、幅Ｂを有する凸部２ｂと、幅Ｃを有する凸部２ｃとは、凹部２ｄを挟んで交互に形成されてなる。これら幅Ｂ，Ｃの長さの比率は、例えば２：１の比率であることが望ましい。そして、凹部２ｄの幅Ｄは、ここでは凸部２ｂの幅Ｂと概ね同一の長さとなっている。
【００１４】
ここで、凸部２ｂの幅Ｂは、２ｍｍ乃至２０ｍｍの範囲であることが望ましい。また、凸部２ｃの幅Ｃは１ｍｍ乃至１０ｍｍ、凹部２ｄの幅Ｄは２ｍｍ乃至２０ｍｍであることが望ましい。
【００１５】
なお、ここでは、生え際部２ａが不規則な凹凸状を形成するように毛髪を植毛した後に、前頭部２をこの生え際部２ａに沿って切り取っているが、例えば、不規則な凹凸状に切り取られた前頭部２に毛髪を植毛すること等によっても、毛髪の生え際部２ａを不規則な凹凸状にすることは可能である。また、毛髪を不規則な凹凸状に植毛した後に、前頭部２をそれに合わせて不規則な凹凸状に切り取らなくともよく、更には、外観を高める等の目的で前頭部２を波状等の任意の形状に切り取ってもよい。
【００１６】
図３は、上記前頭部の植毛密度を示す平面図である。
同図において、前頭部２における複数の斜線２ｈは、密度の異なる領域を明確にするための想像線として示しており、実際に見えるものではない。この斜線２ｈに区切られる領域のうち、凸部２ｂ，２ｃに沿う領域Ｂ´，Ｃ´の植毛密度は、凹部２ｄに沿う領域Ｄ´の植毛密度よりも低くなっている。
【００１７】
また、前頭部２において、領域Ｂ´，Ｃ´，Ｄ´から、かつらの中心方向に領域Ｆ´、領域Ｇ´へ向かうに連れて植毛密度は徐々に高くなっている。この植毛密度の関係は、ここでは、Ｂ´，Ｃ´＜Ｄ´＜Ｆ´＜Ｇ´となっている。
【００１８】
なお、ここでは比較の便宜上、凸部２ｂ，２ｃに沿う領域Ｂ´，Ｃ´と凹部２ｄに沿う領域Ｄ´とが互いに異なる形状となっている。しかしながら、凸部２ｂ，２ｃに沿う領域Ｂ´と凹部２ｄに沿う領域Ｄ´とを対応する同一の形状で比較しても、凸部２ｂ，２ｃに沿う領域の植毛密度が凹部２ｄに沿う領域よりも低くなる。また、各領域Ｂ´，Ｃ´，Ｄ´，Ｆ´，Ｇ´の植毛密度の関係を上記の関係にしなくとも、領域ごとに植毛密度を異ならせることで生え際部２ａを人の頭髪の生え際に近づけることも可能である。
【００１９】
本実施形態によれば、前頭部２における毛髪の生え際部２ａを不規則な凹凸状（２ｂ，２ｃ，２ｄ）に形成したことにより、人の頭髪の生え際の不規則な凹凸状を再現することができ、生え際部２ａを自然に見せることができる。
【００２０】
また、生え際部２ａが、生え際方向Ａに沿って凸部２ｂ，２ｃと凹部２ｄとが連続的に形成されてなるようにしたことで、凸部が先細りになっている場合に見られる凸部先端からのかつらベースの剥離を有効に防止しながら、生え際部２ａを自然に見せることができる。
【００２１】
また、生え際部２ａが、生え際方向Ａに長い幅Ｂを有する凸部２ｂと短い幅Ｃを有する凸部２ｃとが凹部２ｄを挟んで交互に形成されてなるようにしたことで、一層生え際部２ａを人の頭髪の生え際の不規則な凹凸状に近づけることができ、生え際部２ａを更に自然に見せることができる。
【００２２】
更に、生え際方向Ａに長い幅Ｂを有する凸部２ｂと短い幅Ｃを有する凸部２ｃとの長さの比率を２：１としたことで、より一層生え際部２ａを人の頭髪の生え際の不規則な凹凸状に近づけることができ、生え際部２ａを更に自然に見せることができる。
【００２３】
また、生え際部２ａの各領域Ｂ´，Ｃ´，Ｄ´，Ｆ´，Ｇ´における植毛密度を異ならせたことにより、更に人の頭髪に近づけることができ、生え際部２ａを一層自然に見せることができる。
更に、凸部２ｂ，２ｃに沿う領域Ｂ´，Ｃ´の植毛密度を凹部２ｄに沿う領域Ｄ´の植毛密度よりも低くしたことで、生え際部２ａをより一層自然に見せることができる。
【００２４】
更にまた、前頭部２のかつら中心方向へ向かうに連れて植毛密度を徐々に高くした（領域Ｂ´，領域Ｃ´＜領域Ｄ´＜領域Ｆ´＜領域Ｇ´）ことにより、生え際部２ａを更に自然に見せることができる。
【００２５】
また、前頭部２をポリウレタンからなるようにしたことで、前頭部２を頭皮のように見せることができ、より有効に生え際部２ａを自然に見せることができる。
【００２６】
図４は、本発明の第２実施形態に係るかつらの前頭部を示す平面図である。
本実施形態では、不規則な凹凸状の毛髪の生え際部１２ａとして、波状の凸部１２ｂ，１２ｃ及び凹部１２ｄを形成した点のみ上記第１実施形態と異なるため、詳細な説明は省略する。
【００２７】
同図において、前頭部１２は、上記第１実施形態と異なり、毛髪の生え際部１２ａ（毛髪は不図示）を波状の凹凸にするために、例えば植毛された毛髪の一部と共に不規則な波状の凹凸に切り取られてなる。ここでの毛髪の生え際部１２ａは、凸部１２ｂ，１２ｃ及び凹部１２ｄからなる。
【００２８】
また、幅Ｂを有する凸部１２ｂと、幅Ｃを有する凸部１２ｃとは、凹部１２ｄを挟んで交互に形成されてなる。これら幅Ｂ，Ｃの長さの比率は、２：１の比率となっていることが望ましい。また、凹部１２ｄの幅Ｄは、ここでは凸部１２ｂの幅Ｂと概ね同一の長さとなっている。
【００２９】
ここで、凸部１２ｂの幅Ｂは、２ｍｍ乃至２０ｍｍの範囲であることが望ましい。また、凸部１２ｃの幅Ｃは１ｍｍ乃至１０ｍｍ、凹部１２ｄの幅Ｄは２ｍｍ乃至２０ｍｍであることが望ましい。
なお、凸部１２ｂ，１２ｃの幅Ｂ，Ｃ及び凹部１２ｄの幅Ｄは、凸部１２ｂ，１２ｃの最大突出部と凹部１２ｄの最大引込み部との中間位置を基準に決定されるものとする。
【００３０】
本実施形態によれば、かつらベースの前頭部１２における毛髪の生え際部１２ａを不規則な凹凸状（１２ｂ，１２ｃ，１２ｄ）に形成したことにより、人の頭髪の生え際の不規則な凹凸状を再現することができ、生え際部１２ａを自然に見せることができる。
【００３１】
また、生え際部１２ａの凸部１２ｂ，１２ｃと凹部１２ｄとを波状に形成したことで、凸部が先細りになっている場合に見られる凸部先端からのかつらベースの剥離を有効に防止しながら、生え際部２１ａを自然に見せることができる。
【００３２】
更に、生え際部１２ａが、生え際方向Ａに長い幅Ｂを有する凸部１２ｂと短い幅Ｃを有する凸部１２ｃとが凹部１２ｄを挟んで交互に形成されてなるようにしたことで、より一層、生え際部１２ａを人の頭髪の生え際の不規則な凹凸状に近づけることができ、生え際部１２ａを更に自然に見せることができる。
【００３３】
図５は、本発明の第３実施形態に係るかつらの前頭部の植毛密度を示す平面図である。
本実施形態では、生え際部２２ａの中央の凸部２２ｂに、額側に突出する例えば三角形状の富士額部２２ｅを形成した点のみ上記第１実施形態と異なるため、詳細な説明は省略する。なお、富士額とは、生え際部２２が富士山の形に似ている額をいい、一般的には生え際部２２ａの中央が突出することにより、生え際部２２ａが逆さまの富士山に見えるものをいう。
【００３４】
同図において、前頭部２２における複数の斜線２２ｈは、密度の異なる領域を明確にするための想像線として示しており、実際に見えるものではない。この斜線２２ｈに区切られる領域のうち、凸部２２ｃに沿う領域Ｃ´及び富士額部２２ｅに沿う領域Ｅ´の植毛密度は、凹部２２ｄに沿う領域Ｄ´の植毛密度よりも低くなっている。
【００３５】
なお、ここでは比較の便宜上、領域Ｃ´，Ｅ´，Ｄ´は互いに異なる形状となっている。しかしながら、凸部２２ｃ、富士額部２２ｅ及び凹部２２ｄに沿う領域Ｃ´，Ｅ´，Ｄ´を、対応する同一の形状にして比較しても、ここでは凸部２２ｃ及び富士額部２２ｅに沿う領域の植毛密度が、凹部２２ｄに沿う領域の植毛密度よりも低くなる。
【００３６】
また、前頭部２２においては、領域Ｅ´，Ｃ´，Ｄ´から、かつらの中心方向に領域Ｆ´、領域Ｇ´へ向かうに連れて植毛密度は徐々に高くなっている。この植毛密度の関係は、ここでは、Ｅ´＜Ｃ´＜Ｄ´＜Ｆ´＜Ｇ´となっている。
【００３７】
本実施形態によれば、生え際部２２ａの中央の凸部２２ｂに富士額部２２ｅを設けたことにより、生え際部２２ａをより人の頭髪のように見せることができ、上記第１実施形態の効果に加え、生え際を一層自然に見せることができるという効果を奏する。
【００３８】
また、凸部２２ｃ，富士額部２２ｅに沿う領域Ｃ´，Ｅ´の植毛密度を、凹部２２ｄに沿う領域Ｄ´の植毛密度よりも低くしたことで、生え際部２２ａを一層自然に見せることができる。
【００３９】
図６は、本発明の第４実施形態に係るかつらを示す平面図である。
本実施形態では、かつら３１のかつらベース全体がネット部３３からなる点のみ上記第１実施形態と異なるため、詳細な説明は省略する。
【００４０】
同図において、かつら３１は、ネット部３３から構成されている。このネット部３３の前方の生え際部３２ａは上記第１乃至第３実施形態のいずれかの技術により構成されているものとする。
【００４１】
なお、同図においては、便宜上、ネット部３３に、人毛又は人工毛からなる毛髪を植毛していない状態を示している。そのため、同図におけるかつら３１は、かつらベースとなっている。
【００４２】
本実施形態のように、かつらベースの前頭部がポリウレタン等の人工皮膚ではなく、ネット部３３のみから構成されていても、上記第１乃至第３実施形態の技術を実施することができる。
【００４３】
なお、上記第１乃至第４実施形態では、かつらを、全体かつらとして説明したが、かつらベースの前頭部における毛髪の生え際部を有する限りにおいては、上記技術は部分かつらにも適用可能である。
【図面の簡単な説明】
【００４４】
【図１】本発明の第１実施形態に係るかつらを示す平面図である。
【図２】上記かつらの前頭部を示す平面図である。
【図３】上記前頭部の植毛密度を示す平面図である。
【図４】本発明の第２実施形態に係るかつらの前頭部を示す平面図である。
【図５】本発明の第３実施形態に係るかつらの前頭部の植毛密度を示す平面図である。
【図６】本発明の第４実施形態に係るかつらを示す平面図である。
【符号の説明】
【００４５】
１      かつら
２      前頭部
２ａ      生え際部
２ｂ      凸部
２ｃ      凸部
２ｄ      凹部
２ｈ      斜線
３      ネット部
４      周縁部
２２      前頭部
２２ｅ      富士額部
【図１】
2007182643.tif 000003
【図２】
2007182643.tif 000004
【図３】
2007182643.tif 000005
【図４】
2007182643.tif 000006
【図５】
2007182643.tif 000007
【図６】
2007182643.tif 000008